(57)【要約】【課題】            二枚以上重ね合わせたトイレットペーパーのシート長さ方向のミシン目形成間隔を狭く形成しても、切り離された重合シート片の途中に残されたミシン目を通して汚物が付着する恐れがないトイレットペーパーを提供する。【解決手段】        重ね合わせトイレットペーパーのシート長手方向に所定の間隔をおいて対応ずらしミシン目部３を形成し、この対応ずらしミシン目部３のずらし長さ範囲Ｌ１を、取り出し方向に位置する一つ又は複数の対応ずらしミシン目部３を間に残して切り離される任意の使用単位Ｐ１の全使用長さ範囲Ｌ２を実質的に当初の重ね合わせ枚数のトイレットペーパー重合片Ｌ３として切り離しできる僅かな長さに形成した。【選択図】          図１
2006180916.tif 000002
【特許請求の範囲】
【請求項１】
所定の紙幅をもつ長尺のトイレットペーパーシートを二枚以上重ね合わせた長尺の重ね合わせトイレットペーパーであり、この重ね合わせトイレットペーパーを任意の使用単位のトイレットペーパー重合片に切り離すための切り離し用ミシン目をシート長手方向に所定の間隔をおいて形成したミシン目付き重ね合わせトイレットペーパーにおいて、重ね合わされた一方のトイレットペーパーシートに穿孔された前記切り離し用ミシン目を他方のトイレットペーパーシートに穿孔された同じ使用単位のトイレットペーパー重合片に切り離すための対応した前記切り離し用ミシン目に対してシート長手方向に僅かにずらして形成し、よって、重ね合わせトイレットペーパーに該ペーパーのシート長手方向に所定の間隔をおいて対応ずらしミシン目部を形成し、この対応ずらしミシン目部のずらし長さ範囲を、該トイレットペーパーの取り出し方向に位置する一つ又は複数の前記対応ずらしミシン目部を間に残した前記対応ずらしミシン目部で切り離される任意の使用単位のシート長手方向における全使用長さ範囲を実質的に当初の重ね合わせ枚数としたトイレットペーパー重合片として切り離しできる僅かなずらし長さに形成したことを特徴とするミシン目付き重ね合わせトイレットペーパー。
【請求項２】
請求項１記載のミシン目付き重ね合わせトイレットペーパーにエンボス加工を施し、このエンボス加工によってプライ剥がれを防止し且つ前記対応ずらしミシン目部のずらし位置を固定するためのエンボス接合部を形成したことを特徴とするミシン目付き重ね合わせトイレットペーパー。
【請求項３】
前記エンボス接合部を前記トイレットペーパーのシート長手方向に延びる帯状範囲とし、この帯状範囲を該トイレットペーパーの紙幅方向の中央部寄りに位置する拭き取り範囲を区画する区画内又は区画外に形成し、このエンボス接合部を該エンボス接合部に位置するエンボス突起の皮膚感触により前記拭き取り範囲に誘導させる誘導感触部とした請求項２記載のミシン目付き重ね合わせトイレットペーパー。
【請求項４】
請求項１から３のいずれかに記載のミシン目付き重ね合わせトイレットペーパーをシート長手方向に巻回したトイレットロールペーパーとしたミシン目付き重ね合わせトイレットペーパー。
【請求項５】
請求項１から３のいずれかに記載のミシン目付き重ね合わせトイレットペーパーをシート長手方向に連続的にジグザグ折りした折り畳みトイレットペーパーとしたミシン目付き重ね合わせトイレットペーパー。
【請求項６】
長尺のトイレットペーパーシートを二枚以上重ね合わせた重ね合わせシート状態でミシン目入れロール間を送通させ、該重ね合わせシートにシート長手方向に所定間隔をおいて紙幅方向に切り離し用ミシン目を貫通状態に穿孔していくミシン目入れ工程と、前記切り離し用ミシン目を穿孔された重ね合わせシートをシート長手方向にロール状に巻き取る巻き取り工程と、前記ミシン目入れ工程と前記巻き取り工程との間に、前記ミシン目入れ工程と前記巻き取り工程との間のシート送り過程で、前記ミシン目入れ工程で前記切り離し用ミシン目を穿孔された重ね合わせシートの重ね合わせシート面を相対的に離間させると共に、離間された一方のトイレットペーパーシートの前記巻き取り工程に至るシート送り距離を他方のトイレットペーパーシートの前記巻き取り工程に至るシート送り距離に比べて僅かに長くした対応ミシン目ずらし工程を設け、この対応ミシン目ずらし工程において、前記巻き取り工程に至るシート送り距離を僅かに長くされた一方のトイレットペーパーシートのミシン目位置を他方のトイレットペーパーシートの対応するミシン目位置に対してシート送り方向に僅かに後方にずらし、対応するミシン目位置を僅かにずらした状態で重ね合わせて前記巻き取り工程でロール状に巻き取るようにしたことを特徴とするミシン目付き重ね合わせトイレットペーパーの製造方法。
【請求項７】
前記対応ミシン目ずらし工程と前記巻き取り工程との間に、対応するミシン目位置を僅かにずらした状態で重ね合わせた重ね合わせシート状態でエンボスロール間を送通させ、この重ね合わせシートに該重ね合わせシートのプライ剥がれを防止し且つ対応するミシン目のずらし位置を固定するエンボス接合部を形成するエンボス加工工程を設けたことを特徴とする請求項６記載のミシン目付き重ね合わせトイレットペーパーの製造方法。
【請求項８】
請求項６又は７に記載の方法によって製造されているミシン目付き重ね合わせトイレットペーパー。
【発明の詳細な説明】
【技術分野】
【０００１】
本発明は、二枚以上重ね合わせた多層のトイレットペーパーに切り離し用ミシン目を施したトイレットペーパーに関する。
【背景技術】
【０００２】
一般的にダブルと呼ばれる二枚重ねのトイレットロールペーパーが周知である。また、二枚重ねのトイレットロールペーパーは、一枚ものに比べて使用ペーパー単位への切り離しが困難であるため、シート長手方向に所定の間隔をおいて紙幅方向の切断用ミシン目を穿孔させた、いわゆるミシン目付きとしたものが多く、これも周知のことである（例えば、特開２００２−１７６０７）。
【０００３】
この二枚重ねのトイレットロールペーパーは、一枚ものに比べて、例えばホルダーから繰り出すシート長さもほぼ半減し、且つロールペーパーから切り離した使用ペーパー単位の折り畳み回数もほぼ半減する、等の利点がある。このようなことから、トイレットロールペーパーの主流は二枚重ねに移行している。そして、前記した二枚重ねの利点を更に高めた、三枚重ね、四枚重ねなどの、二枚以上重ね合わせたトイレットロールペーパーも開発され、市販されつつある。
【０００４】
一方、シート長手方向に所定の間隔をおいて形成されるミシン目形成間隔は、一定していないが、１０ｃｍ前後から２０ｃｍ前後の範囲内で形成されているのが実状である。このミシン目形成間隔は、いろいろな条件を考慮した一つの標準的な目安として決定されているものと思われるが、実際には、使用者の健康状態や年齢や癖などによって使用者が必要とするペーパー長さは大きく異なるのも実状である。この結果、使用者が必要とする切断位置にミシン目が無い場合には、それより長短いずれかのミシン目位置で切断しなければならず、大変不都合であり、必要長さ以上のシート長さで切り離された場合には資源の無駄となる。このようなことから、できるだけ使用者が望む任意のシート長さのシート片に切り離し出来るように、このミシン目形成間隔をなるべく狭く設定するのが使用上便利であり、使用ペーパーの無駄も無くなり経済的である。
【０００５】
また、この切断用ミシン目の形成は、重ね合わせた長尺シートをミシン目入れロール間を通過させてミシン目のミシン目孔を穿孔させていく。ミシン目入れロールに設けたミシン目刃によるミシン目入れは、重ね合わせ枚数が多いほど、重合シートに対してミシン目刃が深く入るため、開けられるミシン目孔の大きさもシートの重ね合わせ枚数が多いほど大きくなる傾向がある。このことはミシン目刃を鋸歯状とした場合より顕著に表れる。また、重ね合わせシートの場合、ミシン目線に沿う各ミシン目孔の間の繋ぎ部も多層になり、この多層の繋ぎ部によって繋ぎ作用が増し、シートの切り離しが困難になる。そこで、切り離しを容易にするため、重ね合わせ枚数が多いほど繋ぎ部長さに比しミシン目孔の長さを長くし、ミシン目孔の大きさを大きくする必要があった。
【特許文献１】特開２００２−１７６０７公報
【発明の開示】
【発明が解決しようとする課題】
【０００６】
このように、重ね合わせシートの枚数が多いほど、使用に際してミシン目で切り離された重合シート片を折り畳んで使用する必要が少なくなり、そのまま使用でき便利である。また、使用者が望む任意の長さ寸法で切断するためには、シート長さ方向のミシン目形成間隔を狭くするのが効果的である。しかし、このミシン目形成間隔を狭くすればするほど使用者が必要とする任意のペーパー長さで切り離された重合シート片の途中には、重合シートを貫通したミシン目がそのまま残される可能性が大となり、この貫通したミシン目が残された重合シート片を折り畳まずにそのまま使用した場合には、背景技術で説明したように、ミシン目による各穿孔部が大きく穿たれていることから、残された貫通ミシン目の各穿孔部を通して汚物が使用者の手に付着する恐れがある。例えば、ミシン目形成間隔を一般的に市販されている従来のトイレットロールペーパーより短い７ｃｍ間隔とした場合、２１ｃｍ間隔のミシン目形成のものに比べて、７ｃｍ長さの倍数の任意のミシン目位置で切断し易くなるが、７ｃｍ長さの三倍数の２１ｃｍ長さのミシン目位置でカットすると、切り離された２１ｃｍ長さのシート片の途中には２箇所のミシン目（ミシン目線）が残され、残された２箇所の貫通したミシン目（ミシン目線）の各穿孔部を通して汚物が付着する恐れがある。
【０００７】
このようなことから、本発明では、使用に際して折り畳まずに使用しやすい、二枚以上重ね合わせた長尺のトイレットペーパーにおいて、この長尺の重ね合わせトイレットペーパーを、できるだけ使用者が望む任意のシート長さの重合シート片としてミシン目で切り離し出来るように、シート長さ方向のミシン目形成間隔を狭く形成した場合であっても、ミシン目で切り離された重合シート片の途中に残されたミシン目のミシン目孔を通して汚物が付着する恐れがなく、その結果、シート長さ方向のミシン目形成間隔を狭く形成できるようにしたトイレットペーパーを提供することを目的とする。
【０００８】
また、本発明は、前記目的を達成するこのトイレットペーパーを比較的簡単な方法で製造できるようにした製造方法を提供することを目的とする。
【課題を解決するための手段】
【０００９】
上記の目的を達成するため、本発明は、所定の紙幅をもつ長尺のトイレットペーパーシートを二枚以上重ね合わせた長尺の重ね合わせトイレットペーパーであり、この重ね合わせトイレットペーパーを任意の使用単位のトイレットペーパー重合片に切り離すための切り離し用ミシン目をシート長手方向に所定の間隔をおいて形成したミシン目付き重ね合わせトイレットペーパーにおいて、重ね合わされた一方のトイレットペーパーシート（１Ａ）に穿孔された前記切り離し用ミシン目（２Ａ）を他方のトイレットペーパーシート（１Ｂ）に穿孔された同じ使用単位のトイレットペーパー重合片に切り離すための対応した前記切り離し用ミシン目（２Ｂ）に対してシート長手方向に僅かにずらして形成し、よって、重ね合わせトイレットペーパー（１）に該ペーパーのシート長手方向に所定の間隔をおいて対応ずらしミシン目部（３）を形成し、この対応ずらしミシン目部のずらし長さ範囲（Ｌ１）を、該トイレットペーパーの取り出し方向に位置する一つ又は複数の前記対応ずらしミシン目部を間に残した前記対応ずらしミシン目部で切り離される任意の使用単位（Ｐ１）のシート長手方向における全使用長さ範囲（Ｌ２）を実質的に当初の重ね合わせ枚数としたトイレットペーパー重合片（Ｌ３）として切り離しできる僅かなずらし長さに形成したことを特徴とするミシン目付き重ね合わせトイレットペーパーを提供する。
【００１０】
また、本発明は、前記発明のミシン目付き重ね合わせトイレットペーパーにエンボス加工を施し、このエンボス加工によってプライ剥がれを防止し且つ前記対応ずらしミシン目部のずらし位置を固定するためのエンボス接合部（５）を形成したことを特徴とするミシン目付き重ね合わせトイレットペーパーを提供する。更に、本発明では、前記エンボス接合部を前記トイレットペーパーのシート長手方向に延びる帯状範囲とし、この帯状範囲を該トイレットペーパーの紙幅方向の中央部寄りに位置する拭き取り範囲（Ｆ）を区画する区画内又は区画外に形成し、このエンボス接合部を該エンボス接合部に位置するエンボス突起の皮膚感触により前記拭き取り範囲に誘導させる誘導感触部（６）としたミシン目付き重ね合わせトイレットペーパーを提供する。
【００１１】
また、本発明は、前記発明のミシン目付き重ね合わせトイレットペーパーを、長尺のトイレットペーパーシートを二枚以上重ね合わせた重ね合わせシート状態でミシン目入れロール間を送通させ、該重ね合わせシートにシート長手方向に所定間隔をおいて紙幅方向に切り離し用ミシン目を貫通状態に穿孔していくミシン目入れ工程と、前記切り離し用ミシン目を穿孔された重ね合わせシートをシート長手方向にロール状に巻き取る巻き取り工程と、前記ミシン目入れ工程と前記巻き取り工程との間に、前記ミシン目入れ工程と前記巻き取り工程との間のシート送り過程で、前記ミシン目入れ工程で前記切り離し用ミシン目を穿孔された重ね合わせシートの重ね合わせシート面を相対的に離間させると共に、離間された一方のトイレットペーパーシートの前記巻き取り工程に至るシート送り距離を他方のトイレットペーパーシートの前記巻き取り工程に至るシート送り距離に比べて僅かに長くした対応ミシン目ずらし工程を設け、この対応ミシン目ずらし工程において、前記巻き取り工程に至るシート送り距離を僅かに長くされた一方のトイレットペーパーシートのミシン目位置を他方のトイレットペーパーシートの対応するミシン目位置に対してシート送り方向に僅かに後方にずらし、対応するミシン目位置を僅かにずらした状態で重ね合わせて前記巻き取り工程でロール状に巻き取る、ことによって製造できるようにした、ミシン目付き重ね合わせトイレットペーパーの製造方法を提供する。
【００１２】
更に、本発明では、前記対応ミシン目ずらし工程と前記巻き取り工程との間に、対応するミシン目位置を僅かにずらした状態で重ね合わせた重ね合わせシート状態でエンボスロール間を送通させ、この重ね合わせシートに該重ね合わせシートのプライ剥がれを防止し且つ対応するミシン目のずらし位置を固定するエンボス接合部を形成するエンボス加工工程を設けた、ミシン目付き重ね合わせトイレットペーパーの製造方法を提供する。
【発明の効果】
【００１３】
本発明のミシン目付き重ね合わせトイレットペーパーによれば、使用に際して折り畳まずに使用しやすい、二枚以上重ね合わせた長尺の重ね合わせトイレットペーパーにおいて、この重ね合わせトイレットペーパーに該ペーパーのシート長手方向に所定の間隔をおいて対応ずらしミシン目部（３）を形成し、この対応ずらしミシン目部のずらし長さ範囲（Ｌ１）を、該トイレットペーパーの取り出し方向に位置する一つ又は複数の前記対応ずらしミシン目部を間に残した前記対応ずらしミシン目部で切り離される任意の使用単位（Ｐ１）のシート長手方向における全使用長さ範囲（Ｌ２）を実質的に当初の重ね合わせ枚数としたトイレットペーパー重合片（Ｌ３）として切り離しできる僅かなずらし長さに形成したことによって、この長尺の重ね合わせトイレットペーパーをできるだけ使用者が望む任意のシート長さのトイレットペーパー重合片として切り離し出来るように、前記対応ずらしミシン目部のシート長さ方向における形成間隔を狭く形成した場合であっても、前記対応ずらしミシン目部で切り離されたトイレットペーパー重合片の途中に残された対応ずらしミシン目部のミシン目孔は重ね合わされた他方のシート面で塞がれ、切り離されたトイレットペーパー重合片の途中に残されたミシン目を通して汚物が付着する恐れがない。このことにより、前記対応ずらしミシン目部のシート長手方向における形成間隔を、できるだけ使用者が望む任意のシート長さのトイレットペーパー重合片として切り離し出来る狭い間隔に形成でき、よって、必要長さのトイレットペーパー重合片に切り離しし易く、結果として紙資源の無駄も省ける。
【００１４】
また、本発明の製造方法によれば、従来の製造方法に対応ミシン目ずらし工程を加えただけの、比較的簡単な方法で本発明のミシン目付き重合トイレットペーパーを製造できる。
【発明を実施するための最良の形態】
【００１５】
図面に基づいて本発明の実施の形態を説明する。図１から図５は本発明のミシン目付き重ね合わせトイレットペーパーを示し、図１はその要部を、図２はロールペーパーとした実施例を、図３はロールペーパーとした他の実施例を、図４はジグザグ折りに折り畳んだ状態の実施例を、図５は任意の使用単位に切り離した使用例を示している。
【００１６】
図１から図５の実施の形態では、所定の紙幅をもつ長尺のトイレットペーパーシートを四枚重ね合わせて長尺の重ね合わせトイレットペーパー１としている。前記紙幅は通常規格の１１４ｍｍ幅としたが、後述するように、この通常規格幅より狭い紙幅サイズのものを採用しても良い。この実施形態では、重ね合わせ枚数を四枚としたが、二枚以上の複数枚であれば実施可能であり、用いるトイレットペーパーシートの紙質等によって適宜決定される。ただし、一般的に用いられているティッシュ状のトイレットペーパーシートの場合では、この重ね合わせ枚数を４枚〜８枚程度の比較的多層に重ね合わせたものが、本発明による効果をより発揮できる。
【００１７】
この重ね合わせトイレットペーパー１に、該ペーパーのシート長手方向に所定の均等な間隔をおいて対応ずらしミシン目部３を形成する。この対応ずらしミシン目部３は、重ね合わされた一方のトイレットペーパーシート１Ａ（図示の実施例では二枚重ねのトイレットペーパーシート１Ａ）に穿孔された前記切り離し用ミシン目２Ａを他方のトイレットペーパーシート１Ｂ（図示の実施例では二枚重ねのトイレットペーパーシート１Ｂ）に穿孔された同じ使用単位のトイレットペーパー重合片に切り離すための対応した前記切り離し用ミシン目２Ｂに対してシート長手方向に僅かにずらして形成される。
【００１８】
前記対応ずらしミシン目部３のずらし長さ範囲Ｌ１は、該トイレットペーパーの取り出し方向（例えば、図１及び図５の右側方法。）に位置する一つ又は複数の前記対応ずらしミシン目部３を間に残した前記対応ずらしミシン目部３で切り離される任意の使用単位Ｐ１のシート長手方向における全使用長さ範囲Ｌ２を実質的に当初の重ね合わせ枚数のトイレットペーパー重合片Ｌ３として切り離しできる僅かなずらし長さに形成される。この対応ずらしミシン目部３の前記ずらし長さ範囲Ｌ１のずらし長さとしては、３〜１０ｍｍ程度が好ましく、この実施例では３〜５ｍｍ程度とした。例えば、図５に示した切り離し使用例では、該トイレットペーパーの取り出し方向（例えば、図５の右側方法。）に位置する一つの前記対応ずらしミシン目部３を間に残した前記対応ずらしミシン目部３で切り離された使用単位Ｐ１の全使用長さ範囲Ｌ２を実質的に当初の重ね合わせ枚数４枚のトイレットペーパー重合片Ｌ３として切り離しできるようにしている。したがって、図５の切り離し使用例の場合、長さ方向の両端部は当初の重ね合わせ枚数４枚の半分の二枚重ね枚数のずらし長さ範囲Ｌ１となるが、このずらし長さ範囲Ｌ１の中間部は当初の四枚重ねの多層シートのトイレットペーパー重合片Ｌ３として切り離される。これはトイレットペーパーの取り出し紙端側を片手で摘んで取り出す際に、トイレットペーパー重合片Ｌ３の重合端部を同時に摘めることを併せて意味している。
【００１９】
これにより、前記トイレットペーパーの取り出し方向（例えば、図１及び図５の右側方法。）に位置する一つ又は複数の前記対応ずらしミシン目部３を間に残した前記対応ずらしミシン目部３で切り離される任意の使用単位Ｐ１において、間に残された一つ又は複数の前記対応ずらしミシン目部３の一方のトイレットペーパーシート１Ａのミシン目２Ａのミシン目孔は重ね合わされた他方のトイレットペーパーシート１Ｂのシート面で塞がれ、そして、任意の使用単位Ｐ１の全使用長さ範囲Ｌ２を実質的に当初の重ね合わせ枚数としたトイレットペーパー重合片Ｌ３として切り離される。この結果、前記対応ずらしミシン目部３のシート長手方向における形成間隔を狭く形成できる。この形成間隔は図示したものに限定されないが、ちなみに、この実施形態では、紙幅１１４ｍｍに対して、前記対応ずらしミシン目部３の中心位置（対応するミシン目２Ａ，２Ｂ間の中心位置）におけるシート長手方向の間隔を９０ｍｍとして図示してある。
【００２０】
この実施形態では、前記したように、重ね合わせ枚数を四枚とし、各二枚ずつ重ね合わせたトイレットペーパーシート１Ａ，１Ｂの各ミシン目２Ａ，２Ｂ位置をシート長手方向に僅かにずらし、よって、四枚の重ね合わせトイレットペーパーに前記対応ずらしミシン目部３をシート長手方向に所定の均等な間隔をおいて形成している。しかし、この実施例に限定されるものではなく、例えば、五枚重ねの重ね合わせトイレットペーパーとした場合は、二枚と三枚に分けたトイレットペーパーシートの各ミシン目をずらして前記対応ずらしミシン目部３を形成しても良い。また、例えば、三枚以上重ね合わせた重ね合わせトイレットペーパーであれば、一枚毎のミシン目位置を僅かずつずらして前記対応ずらしミシン目部３を形成しても良く、例えば、三枚重ねの重ね合わせトイレットペーパーであれば、上層シートのミシン目位置を中心にして、中層シートのミシン目位置をシート長手方向の一方向に、下層シートのミシン目位置をシート長手方向の他方向に、それぞれ僅かにずらして形成し、よって前記対応ずらしミシン目部３を形成することも可能である。
【００２１】
このトイレットペーパーは、図２及び図３のようにトイレットペーパーをシート長手方向に巻回してトイレットロールペーパーとされ、また、図４のようにトイレットペーパーをシート長手方向に連続的にジグザグ折りに折り畳んだ折り畳みトイレットペーパーとされて使用される。
【００２２】
次に、図６に示した本発明のトイレットペーパーの他の実施例を説明する。この実施の形態では、図１の重ね合わせトイレットペーパーにエンボス加工を施し、このエンボス加工によってプライ剥がれを防止し且つ前記対応ずらしミシン目部３のずらし位置を固定するためのエンボス接合部５を形成している。尚、図６における他の符号説明は図１の同符号と同じであるため省略する。このエンボス接合部５の加工範囲は特に限定されるものではないが、例えば、このエンボス接合部５の加工範囲を、図示したように、前記トイレットペーパーのシート長手方向に延びる帯状範囲とし、この帯状範囲を該トイレットペーパーの紙幅方向の中央部寄りに位置する拭き取り範囲Ｆを区画する区画外に沿って形成し、このエンボス接合部５を該エンボス接合部５に位置するエンボス突起（図示せず）の皮膚感触により前記拭き取り範囲Ｆに誘導させる誘導感触部６としても機能させることができる。また、図示してないが、前記エンボス接合部５の加工範囲を、前記トイレットペーパーのシート長手方向に延びる帯状範囲とし、この帯状範囲を該トイレットペーパーの紙幅方向の中央部寄りに位置する前記拭き取り範囲Ｆを区画する区画内の全域に形成し、このエンボス加工範囲を前記誘導感触部６として機能させても良い。このエンボス接合部５の加工範囲を、前記拭き取り範囲Ｆに誘導させる前記誘導感触部６としても機能させたことにより、トイレットペーパーの紙幅を従来の規格幅（１１４ｍｍ）より狭く形成しても拭き取りにあまり支障が無いメリットがある。
【００２３】
図６に示したトイレットペーパーも前記実施例の図２及び図４のように、トイレットロールペーパーとし、ジグザグ折りに折り畳んだ折り畳みトイレットペーパーとして使用される。
【００２４】
次に、図１に示したトイレットペーパーの製造方法を、図７及び図８に基づいて説明する。長尺のトイレットペーパーシートを二枚以上重ね合わせた重ね合わせシート状態でミシン目入れロール間１１を送通させ、該重ね合わせトイレットペーパーシート１にシート長手方向に所定間隔をおいてシート長手方向に直交する紙幅方向に切り離し用ミシン目２（２Ａ，２Ｂ）を貫通状態に穿孔していくミシン目入れ工程１０と、前記切り離し用ミシン目２（２Ａ，２Ｂ）を穿孔された重ね合わせトイレットペーパーシートを巻き取りロール１５でシート長手方向にロール状に巻き取る巻き取り工程１４と、前記ミシン目入れ工程１０と前記巻き取り工程１４との間に、前記ミシン目入れ工程１０と前記巻き取り工程１４との間のシート送り過程で、前記ミシン目入れ工程１０で前記切り離し用ミシン目２（２Ａ，２Ｂ）を貫通状態に穿孔された重ね合わせシートの重ね合わせシート面を相対的に離間させると共に、離間された一方のトイレットペーパーシート１Ａの前記巻き取り工程１４に至るシート送り距離を他方のトイレットペーパーシート１Ｂの前記巻き取り工程１４に至るシート送り距離に比べて僅かに長くした対応ミシン目ずらし工程１８を設け、この対応ミシン目ずらし工程１８において、前記巻き取り工程１４に至るシート送り距離を僅かに長くされた一方のトイレットペーパーシート１Ａのミシン目２Ａ位置を他方のトイレットペーパーシート１Ｂの対応するミシン目２Ｂ位置に対してシート送り方向に僅かに後方にずらし、対応するミシン目２Ａ，２Ｂ位置を僅かにずらした状態で重ね合わせて前記巻き取り工程１４でロールペーパーＲ状に巻き取るようにした。なお、図１（Ａ）は前記した長尺のトイレットペーパーシートを所定幅（例えば１１４ｍｍの規格幅に）のものとして図示している。この長尺のトイレットペーパーシートを幅広のトイレットペーパー原紙とした場合には、図１（Ａ）の上下方向に紙幅を広げた状態なる。そして、前記した長尺のトイレットペーパーシートを幅広のトイレットペーパー原紙とした場合は、最終工程の前記巻き取り工程でロール状に巻き取られた幅広のロールペーパーＲを所定幅（例えば１１４ｍｍの規格幅に）に切断し、所定幅の最終製品としてのロールペーパーを得るようにする。
【００２５】
図示した実施の形態では、前記対応ミシン目ずらし工程１８を、前記ミシン目入れ工程１０で前記ミシン目２（２Ａ，２Ｂ）を貫通穿孔された重ね合わせシートの重ね合わせシート面の間に全紙幅に亘るシート規制部材１９を介在させ、このシート規制部材１９で、前記ミシン目２（２Ａ，２Ｂ）を穿孔された重ね合わせシートの重ね合わせシート面を相対的に離間させると共に、離間された一方のトイレットペーパーシート１Ａの前記巻き取り工程１４に至るシート送り距離を他方のトイレットペーパーシート１Ｂの前記巻き取り工程１４に至るシート送り距離に比べて僅かに長くして、達成した。
【００２６】
その他、前記対応ミシン目ずらし工程１８を、一方のシート面を全紙幅に亘ってシート走行に支障ない程度にサクションボックス等の吸引面で軽く吸着し、吸着された一方のシート面を重ね合わされた他方のシート面に対して離間させると共に、離間された一方のトイレットペーパーシートの前記巻き取り工程に至るシート送り距離を他方のトイレットペーパーシートの前記巻き取り工程に至るシート送り距離に比べて僅かに長くして、達成しても良い。
【００２７】
また、前記対応ミシン目ずらし工程１８と前記巻き取り工程１４との間に、対応するミシン目位置を僅かにずらした状態で重ね合わせた重ね合わせシート状態でエンボスロール２３間を送通させ、この重ね合わせシートに該重ね合わせシートのプライ剥がれを防止し且つ対応するミシン目のずらし位置を固定する前記エンボス接合部５（図７，８には図示せず）を形成するエンボス加工工程２２を設けた。ここで施される前記エンボス接合部５の加工範囲は特に限定されるものではないが、図６の説明で述べたように、このエンボス接合部５を該エンボス接合部５に位置するエンボス突起（図示せず）の皮膚感触により前記拭き取り範囲Ｆに誘導させる誘導感触部６としても機能できるように加工範囲にすることができる。
【産業上の利用可能性】
【００２８】
本発明のトイレットペーパーは、発明の効果の箇所で述べたように、対応ずらしミシン目部のシート長手方向における形成間隔を、できるだけ使用者が望む任意のシート長さのトイレットペーパー重合片として切り離し出来る狭い間隔に形成でき、よって、必要長さのトイレットペーパー重合片に切り離しし易く、結果として紙資源の無駄も省ける。という効果がある。使用済みのトイレットペーパーは、他の製品と異なり、全くリサイクル出来ない製品であり、しかも日本全国での使用量は年間９４万トンにも及ぶものである。それだけに使用するトイレットペーパーの無駄を省くとその量も莫大なものである。係ることから、本発明は紙資源の省資源化へ大きく寄与できるものと言える。
【００２９】
また、本発明の技術思想はトイレットペーパーのほか、汚物を拭き取る衛生製品であるキッチンタオルペーパーにも応用可能である。
【図面の簡単な説明】
【００３０】
【図１】本発明のトイレットペーパーの要部を示し、Ａは平面図、Ｂは縦断正面図。
【図２】本発明のトイレットペーパーをロールペーパーとした実施例の斜視図。
【図３】本発明のトイレットペーパーをロールペーパーとした他の実施例の斜視図。
【図４】本発明のトイレットペーパーをジグザグ折りに折り畳んだ実施例の斜視図。
【図５】任意の使用単位に切り離した使用例を示し、Ａは平面図、Ｂは縦断正面図。
【図６】本発明のトイレットペーパーの要部を示す他の実施例の平面図。
【図７】本発明のトイレットペーパーの製造方法を概略的に示し、Ａは平面図、Ｂは正面図。
【図８】図７におけるＣ部の一部縦断した拡大正面図。
【符号の説明】
【００３１】
１  重ね合わせトイレットペーパー
１Ａ  トイレットペーパーシート
１Ｂ  トイレットペーパーシート
２（２Ａ，２Ｂ）  切り離し用ミシン目
３  対応ずらしミシン目部
Ｌ１  ずらし長さ範囲
Ｌ２  全使用長さ範囲
Ｌ３  トイレットペーパー重合片
Ｐ１  任意の使用単位
５  エンボス接合部
６  誘導感触部
Ｆ  拭き取り範囲
１０  ミシン目入れ工程
１４  巻き取り工程
１８  対応ミシン目ずらし工程
１９  シート規制部材
２２  エンボス加工工程
【図１】
2006180916.tif 000003
【図２】
2006180916.tif 000004
【図３】
2006180916.tif 000005
【図４】
2006180916.tif 000006
【図５】
2006180916.tif 000007
【図６】
2006180916.tif 000008
【図７】
2006180916.tif 000009
【図８】
2006180916.tif 000010